(57)【特許請求の範囲】
【請求項１】
ケースと、前記ケース内に収納される回転体本体部と回転体本体部の上面から突出する軸部とを有する回転体と、前記回転体の軸部を挿通して軸部の外周面を支持する軸支部を有するとともに前記回転体本体部を収納したケースの上部を覆うカバーと、前記回転体本体部の上面に設けたクリック係合凹部に係合離脱する弾接部を有するクリック板とを具備してなる回転式電子部品であって、
前記回転体本体部上面の軸部を突出する根元部分に、前記軸支部と軸部の間に塗布したグリスをクリック係合凹部に導くグリス導入凹部を設けたことを特徴とする回転式電子部品。
【請求項２】
請求項１に記載の回転式電子部品であって、
前記回転体本体部上面の軸部を突出する根元部分に、前記カバーに当接させる軸受部を設け、この軸受部の部分に前記グリス導入凹部を設けたことを特徴とする回転式電子部品。
【請求項３】
請求項２に記載の回転式電子部品であって、
前記軸受部は、前記クリック係合凹部を設けた面よりも高くして前記軸部の周囲にリング状に形成されていることを特徴とする回転式電子部品。
【請求項４】
請求項２に記載の回転式電子部品であって、
前記グリス導入凹部は、前記軸部の軸部外周面にも位置していることを特徴とする回転式電子部品。
【発明の詳細な説明】
【技術分野】
【０００１】
本発明は、回転式可変抵抗器や回転式スイッチ等の回転式電子部品に関するものである。
【背景技術】
【０００２】
従来の回転式電子部品は、例えば特許文献１の図１，図２に示す回転式スイッチ（１）のように、収納部（６１）を有するスイッチ基板（６０）と、スイッチ基板（６０）の収納部（６１）内に収納される回転型物（３１）と回転型物（３１）の上面から突出する軸部（３７）とを有するつまみ（３０）と、つまみ（３０）の軸部（３７）を挿通して軸部（３７）の外周面を支持する軸支部（１２）を有するとともに回転型物（３１）を収納したスイッチ基板（６０）の上部を覆うカバー（１０）と、回転型物（３１）の回転によって電気的出力を変化する摺動子（５０）等からなる電気的機能部と、カバー（１０）の下面に設置され前記回転型物（３１）の上面に設けた凹凸部（３５）に係合離脱する弾接部（２４）を有するクリックバネ部材（２０）とを具備して構成されている。
【先行技術文献】
【特許文献】
【０００３】
【特許文献１】特開２００５−７８８４４号公報
【発明の概要】
【発明が解決しようとする課題】
【０００４】
上記構成の回転式スイッチ（１）においては、つまみ（３０）の回転をスムーズに行わせるために、カバー（１０）の軸支部（１２）とつまみ（３０）の軸部（３７）との間にグリスを塗布している。また前記クリックバネ部材（２０）の弾接部（２４）と回転型物（３１）の凹凸部（３５）間の強い摺接（摩擦）によって回転型物（３１）に静電気が溜まって回転式スイッチ（１）の出力に誤信号（静電ノイズ）が生じないようにするために、これら弾接部（２４）と凹凸部（３５）とが摺接する部分にもグリスを塗布して油膜を形成し、両者が直接接触しないように構成している。
【０００５】
しかしながら上記回転式スイッチ（１）を組み立てる際に、上述のように２か所にグリスを塗布する作業は煩雑であった。また摺動子（５０）等の電気的機能部に近い回転型物（３１）の凹凸部（３５）にグリスを直接塗布した際に、誤ってこのグリスが前記電気的機能部の部分に付着し、電気的出力に不具合を生じる恐れもあった。これらの問題は回転式スイッチ（１）が小型化されればされるほど大きくなる。
【０００６】
本発明は上述の点に鑑みてなされたものでありその目的は、グリスの塗布が簡単且つ確実に行え、組み立て作業の容易化を図ることができる回転式電子部品を提供することにある。
【課題を解決するための手段】
【０００７】
本願請求項１に記載の発明は、ケースと、前記ケース内に収納される回転体本体部と回転体本体部の上面から突出する軸部とを有する回転体と、前記回転体の軸部を挿通して軸部の外周面を支持する軸支部を有するとともに前記回転体本体部を収納したケースの上部を覆うカバーと、前記回転体本体部の上面に設けたクリック係合凹部に係合離脱する弾接部を有するクリック板とを具備してなる回転式電子部品であって、前記回転体本体部上面の軸部を突出する根元部分に、前記軸支部と軸部の間に塗布したグリスをクリック係合凹部に導くグリス導入凹部を設けたことを特徴とする回転式電子部品にある。
【０００８】
本願請求項２に記載の発明は、請求項１に記載の回転式電子部品であって、前記回転体本体部上面の軸部を突出する根元部分に、前記カバーに当接させる軸受部を設け、この軸受部の部分に前記グリス導入凹部を設けたことを特徴とする回転式電子部品にある。
【０００９】
本願請求項３に記載の発明は、請求項２に記載の回転式電子部品であって、前記軸受部は、前記クリック係合凹部を設けた面よりも高くして前記軸部の周囲にリング状に形成されていることを特徴とする回転式電子部品にある。
【００１０】
本願請求項４に記載の発明は、請求項２に記載の回転式電子部品であって、前記グリス導入凹部は、前記軸部の軸部外周面にも位置していることを特徴とする回転式電子部品にある。
【発明の効果】
【００１１】
請求項１に記載の発明によれば、回転体本体部の上面にグリス導入凹部を設けたので、この回転式電子部品を組み立てる際に、カバーの軸支部と回転体の軸部の間に塗布したグリスがこのグリス導入凹部を通してクリック係合凹部に導かれる。つまりグリスを一か所に塗布するという簡単な作業で２か所部分へのグリスの塗布が確実に行なえる。これによって回転式電子部品の組み立て作業が容易になる。
【００１２】
請求項２，３に記載の発明によれば、回転体本体部に元々形成している軸受部の部分にグリス導入凹部を設けたので、回転体の構造を複雑化することなく、グリス導入凹部を容易に形成することができる。
【００１３】
請求項４に記載の発明によれば、軸部の軸部外周面にグリス導入凹部を設けたので、この回転式電子部品を組み立てる際にカバーの軸支部と回転体の軸部の間に塗布したグリスをよりスムーズにこのグリス導入凹部を通してクリック係合凹部に導くことができる。
【図面の簡単な説明】
【００１４】
【図１】回転式電子部品１−１を示す斜視図である。
【図２】回転式電子部品１−１を下側から見た斜視図である。
【図３】回転式電子部品１−１の分解斜視図である。
【図４】回転式電子部品１−１を下側から見た分解斜視図（但し図３に示すものを１８０°回転した向きから見た状態）である。
【図５】回転式電子部品１−１の縦断面図（図１のＡ−Ａ断面図）である。
【図６】フレキシブル回路基板３０と端子板４５を示す斜視図である。
【図７】回転式電子部品１−１からカバー１３０を取り外した状態を示す斜視図である。
【図８】回転式電子部品１−２を示す斜視図である。
【図９】回転式電子部品１−２の分解斜視図である。
【図１０】回転式電子部品１−２からカバー１３０−２を取り外した状態を示す斜視図である。
【図１１】回転式電子部品１−３を示す分解斜視図である。
【図１２】他のクリック板１００−４の例を示す斜視図である。
【発明を実施するための形態】
【００１５】
以下、本発明の実施形態を図面を参照して詳細に説明する。図１〜図５は本発明の第１実施形態に係る回転式電子部品１−１を示す図であり、図１は斜視図、図２は下側から見た斜視図（但し図１に示すものを約１８０°回転した向きから見た状態）、図３は図１の分解斜視図、図４は図２の分解斜視図、図５は縦断面図（図１のＡ−Ａ断面図）である。これらの図に示すように回転式電子部品１−１は、ケース１０の回転体収納凹部１３内に、摺動子８０を取り付けた回転体５０の回転体本体部５１を収納し、且つその上にクリック板１００を設置し、さらにその上にカバー１３０を被せて構成されている。以下各構成部品について説明する。なお以下の説明において、「上」とはケース１０からカバー１３０を見る方向をいい、「下」とはその反対方向をいうものとする。
【００１６】
ケース１０は合成樹脂製のケース本体１１の内部に回路基板（以下「フレキシブル回路基板」という）３０と複数本（６本）の端子板４５とをインサート成形して構成されている。ケース本体１１は略矩形箱型に形成され、その上面中央に回転体収納凹部１３を設けている。ケース１０の回転体収納凹部１３を囲む４辺からなる側壁部１５の上面の２か所には上方向に突出する突起状の係止部１７が設けられている。また側壁部１５の上面の４つの角部の内の隣り合う２つの角部の近傍には薄く凹むクリック板挿入部１９が設けられている。ケース１０の回転体収納凹部１３を囲む４辺からなる側壁部１５の内の対向する一対の側壁部１５の中央部分にはその上面から凹状に凹む凹部２３が形成されている。側壁部１５の内周面側の下部には、回転体５０の回転体本体部５１の下面を載置する回転体載置部２５が設けられている。
【００１７】
ケース１０の回転体収納凹部１３の底面には、フレキシブル回路基板３０がその上面を露出して設置されている。図６はフレキシブル回路基板３０及びこれに接続される端子板４５を示す斜視図である。同図に示すようにフレキシブル回路基板３０は、その上面に同心円状に４本の摺接パターン３１を形成しており、またそれらからフレキシブル回路基板３０の外周近傍まで６つの端子接続パターン３３を引き出している。
【００１８】
端子板４５は略帯状の金属板製であり、その先端部分は下方向に略直角に折り曲げられている。
【００１９】
回転体５０は合成樹脂の一体成形品であり、略円板状の回転体本体部５１の上面中央から、回転体本体部５１の外径寸法よりもその外径寸法の小さい略円柱状の軸部５３を突出して構成されている。回転体本体部５１の上面の軸部５３を突出する根元部分７１にはカバー１３０の下面に当接させるリング形状の軸受部５５が設けられている。軸受部５５の周囲には軸受部５５の上面よりも低い上面を有するリング形状のクリック弾接面５７が形成され（つまり軸受部５５はクリック弾接面５７よりも高く形成されている）、さらにクリック弾接面５７の外周の所定位置からは半径方向外方に向けて突出するストッパ部５９が形成されている。そしてクリック弾接面５７の上面からストッパ部５９の上面にわたってクリック係合凹部６１が形成されている。クリック係合凹部６１は回転体本体部５１の半径方向に向けて直線状に形成されている。
【００２０】
そして回転体５０の軸受部５５の部分には、クリック係合凹部６１に連結するグリス導入凹部６３が形成されている。グリス導入凹部６３は回転体本体部５１の半径方向に向けて直線状に形成されており、その幅寸法は前記クリック係合凹部６１の幅寸法と同一であり、またその底面はクリック係合凹部６１の底面と同一面になっている。
【００２１】
回転体本体部５１の下面には摺動子取付用の小突起６５が形成されている。回転体５０の内部の中央には中空部６７が形成されている。中空部６７は回転体本体部５１の下面中央から軸部５３内の中央付近まで形成されている。軸部５３はその上部にこの軸部５３を図示しないつまみに嵌合するための切り欠き部６９が形成されているが、中空部６７はこの切り欠き部６９の下部近傍位置まで形成されている。
【００２２】
摺動子８０は２枚の弾性金属板によって形成され、それぞれ略矩形状の基部８１，８３の外周から複数本ずつのアーム部８５を突出して構成されている。基部８１，８３には小孔からなる取付部８７が形成され、また各アーム部８５の先端は接点部８９となっている。
【００２３】
クリック板１００は弾性金属板を略帯状の直線状に形成して構成されており、その中央には下方向に突出するように湾曲する弾接部１０１が設けられ、その両端近傍には小孔からなる一対のカバー取付部１０３が設けられている。
【００２４】
カバー１３０は金属板製であり、略矩形状の上面板１３１の対向する一対の外周辺に接続されている側面板１３３，１３３を略垂直下方に屈曲させて構成されている。上面板１３１の中央には上方向に突出する円筒形状の軸支部１３５が形成されている。また上面板１３１の前記ケース１０の一対の係止部１７に対向する位置にはそれぞれこれら係止部１７を嵌合する小孔からなる挿入係止部１３７が形成されている。また上面板１３１の前記クリック板１００の一対のカバー取付部１０３に対向する位置にはそれぞれこれらカバー取付部１０３に挿入される下方向に突出する取付部１３９が形成されている。取付部１３９は下方向に凸状に突出するために上面板１３１の上面側では凹部となっている。また上面板１３１の所定位置には、周囲をコ字状に切り欠いて舌片状とした部分を真下方向に向けて折り曲げてなるストッパ当接部１４０が形成されている。また側面板１３３は略矩形状であって、その下辺の中央には下方向に向かって舌片状に突出する他部材取付部１４１が設けられ、またその下辺の他部材取付部１４１の左右両側には下方向に向かって舌片状に突出するケース取付部１４３が設けられている。
【００２５】
次に回転式電子部品１−１を組み立てるには、まず予め回転体本体部５１の下面に摺動子８０を配置し、その際回転体５０下面の小突起６５を摺動子８０の取付部８７に挿入し、その先端を熱かしめして回転体５０に摺動子８０を固定する。一方カバー１３０の上面板１３１の下面にクリック板１００を配置し、その際カバー１３０の一対の取付部１３９をクリック板１００の一対のカバー取付部１０３に挿入し、各取付部１３９の先端をかしめることによって、カバー１３０の上面板１３１の下面にクリック板１００を取り付ける。
【００２６】
そして摺動子８０を取り付けた回転体５０の軸部５３の下部の外周部分（前記カバー１３０の軸支部１３５に軸支される部分）（図３，４に点線で示すＡ部分）にグリス１５０を塗布した上で、この回転体５０の回転体本体部５１をケース１０の回転体収納凹部１３内に収納し、回転体本体部５１の下面外周近傍部分をケース１０の回転体載置部２５の上面に当接・載置する。グリス１５０としては鉱油系のグリスを用いる（他のグリスでも良い）。
【００２７】
次に前記ケース１０の上にカバー１３０を被せ、その際回転体５０の軸部５３をカバー１３０の軸支部１３５に挿入する。カバー１３０の上面板１３１をケース１０の上面に当接し、その際クリック板１００の両端部分はケース１０のクリック板挿入部１９内に収納され、またケース１０の係止部１７はカバー１３０の挿入係止部１３７に挿入され位置決めされる。またこのときカバー１３０の両側面板１３３，１３３はケース１０の対向する両外周側面にぴったり当接する。そしてカバー１３０の各ケース取付部１４３の先端部分をケース１０の下面に折り曲げてカバー１３０とケース１０とを一体化すれば、回転式電子部品１−１が完成する。
【００２８】
ところで前述のように、回転体５０の軸部５３をカバー１３０の軸支部１３５内にカバー１３０の下面側から挿入する際、軸部５３に塗布したグリス１５０の一部（軸部５３と軸支部１３５間に付着するグリス以外の余剰のグリス）はしごかれて回転体本体部５１側に移動して軸受部５５の上面に至り、スムーズにグリス導入凹部６３に導入される。グリス導入凹部６３に導入されたグリス１５０はグリス導入凹部６３に連通するクリック係合凹部６１にスムーズに導入される。
【００２９】
つまり、回転体本体部５１の上面にグリス導入凹部６３を設けたので、この回転式電子部品１−１を組み立てる際に、カバー１３０の軸支部１３５と回転体５０の軸部５３の間に塗布したグリス１５０がこのグリス導入凹部６３を通してクリック係合凹部６１に導かれる。つまりグリス１５０を一か所に塗布するという簡単な作業で２か所部分へのグリス１５０の供給が行われ、これによって回転式電子部品１−１の組み立て作業が容易になる。特にこの回転式電子部品１−１によれば、回転体本体部５１に元々形成している軸受部５５の部分にグリス導入凹部６３を設けたので、回転体５０の構造を複雑化することなく、グリス導入凹部６３を容易に形成することができる。
【００３０】
図７は回転式電子部品１−１からカバー１３０を取り外した状態を示す斜視図である。なお実際にはクリック板１００はカバー１３０に固定されているので、図７に示す状態になることはない。同図に示す状態は、回転体５０のクリック係合凹部６１にクリック板１００の弾接部１０１が係合している状態を示している。
【００３１】
そして回転体５０を回転すれば、摺動子８０がフレキシブル回路基板３０の摺接パターン３１上を摺動し、各端子板４５間の電気的出力が変化する。
【００３２】
一方回転体５０を回転した際、クリック板１００の弾接部１０１は回転体５０のクリック弾接面５７に弾接しながら摺動し、回転体５０の所定の回転位置（図７に示す位置）においてクリック係合凹部６１に係合してクリック感触が発生する。クリック係合凹部６１には前述のようにグリス１５０が導入されて溜まっており、このグリス１５０が弾接部１０１に付着する。このため弾接部１０１とクリック弾接面５７との間に強い弾接力が働いても、グリス１５０の油膜によって合成樹脂と金属とが直接擦れず（摩擦係数が小さく摩擦力も小さい）、このため静電気は生じにくい。このため静電ノイズが回転式電子部品１−１の電気的出力に入り込むことはない。
【００３３】
なお上記組立手順はその一例であり、他の各種異なる組立手順を用いて組み立てても良いことは言うまでもない。例えば上記組立例ではグリス１５０を塗布した回転体５０の回転体本体部５１をケース１０の回転体収納凹部１３内に収納した後にケース１０の上にカバー１３０を被せたが、例えば予めカバー１３０の軸支部１３５内にその下側からグリス１５０を塗布した回転体５０の軸部５３を挿入しておき、この回転体５０が取り付いたカバー１３０をケース１０の上に被せても良い。またグリス１５０を塗布するタイミングも変更可能であり、要はカバー１３０の軸支部１３５内に回転体５０の軸部５３を挿入する前のタイミングであればよい。
【００３４】
以上説明したようにこの回転式電子部品１−１は、ケース１０と、ケース１０内に収納される回転体本体部５１と回転体本体部５１の上面から突出する軸部５３とを有する回転体５０と、回転体５０の軸部５３を挿通して軸部５３の外周面を支持する軸支部１３５を有するとともに回転体本体部５１を収納したケース１０の上部を覆うカバー１３０と、回転体本体部５１の上面に設けたクリック係合凹部６１に係合離脱する弾接部１０１を有するクリック板１００とを具備し、回転体本体部５１上面の軸部５３を突出する根元部分７１に、軸支部１３５と軸部５３間に塗布したグリス１５０をクリック係合凹部６１に導くグリス導入凹部６３を設けて構成されている。
【００３５】
またこの回転式電子部品１−１においては、回転体本体部５１上面の軸部５３を突出する根元部分７１に、カバー１３０に当接させる軸受部５５が設けられ、この軸受部５５の部分に前記グリス導入凹部６３を設けている。この軸受部５５は、クリック係合凹部６１を設けた面（クリック弾接面５７）よりも高い位置に位置し、軸部５３の周囲にリング状に形成されている。
【００３６】
図８〜図１０は本発明の第２実施形態に係る回転式電子部品１−２を示す図であり、図８は斜視図、図９は分解斜視図、図１０は回転式電子部品１−２からカバー１３０−２を取り外した状態を示す斜視図（図７の場合と同様に、実際にはクリック板１００−２はカバー１３０−２に固定されているので、図１０に示す状態になることはない。）である。同図に示す回転式電子部品１−２において、前記図１〜図７に示す回転式電子部品１−１と同一又は相当部分には同一符号を付す（但し各符号に「−２」を付記する。）。なお以下で説明する事項以外の事項については、前記図１〜図７に示す実施形態と同じである。この回転式電子部品１−２においても、ケース１０−２の回転体収納凹部１３−２内に、摺動子８０−２を取り付けた回転体５０−２の回転体本体部５１−２を収納し、且つその上にクリック板１００−２を設置し、さらにその上にカバー１３０−２を被せて構成されている。
【００３７】
この回転式電子部品１−２において前記回転式電子部品１−１と相違する主な点は、端子板４５−２の本数が３本である点と、摺動子８０−２の枚数が１枚である点と、回転体５０−２の回転体本体部５１−２の外周からストッパ部５９−２を突出させず、このためクリック係合凹部６１−２をクリック弾接面５７−２の部分のみに設けた点とである。なおこの回転式電子部品１−２の場合、ストッパ部５９−２は回転体本体部５１−２の下面側に設けられており、図９に示すケース１０−２の回転体収納凹部１３−２に設けたストッパ当接部２１−２に当接することで回転体５０−２の無制限な回転が防止される。
【００３８】
この回転式電子部品１−２においても、前記回転式電子部品１−１と同様に、回転体５０−２の軸受部５５−２の部分に、クリック係合凹部６１−２に連結するグリス導入凹部６３−２を形成しているので、回転体５０−２の軸部５３−２をカバー１３０−２の軸支部１３５−２内にカバー１３０−２の下面側から挿入する際、軸部５３−２に塗布したグリス１５０−２の一部（軸部５３−２と軸支部１３５−２間に付着するグリス以外の余剰のグリス）がしごかれて回転体本体部５１−２側に移動して軸受部５５−２の上面に至り、スムーズにグリス導入凹部６３−２に導入される。グリス導入凹部６３−２に導入されたグリス１５０−２はグリス導入凹部６３−２に連通するクリック係合凹部６１−２にスムーズに導入される。
【００３９】
つまり、回転体本体部５１−２の上面にグリス導入凹部６３−２を設けたので、この回転式電子部品１−２を組み立てる際に、カバー１３０−２の軸支部１３５−２と回転体５０−２の軸部５３−２の間に塗布したグリス１５０−２がこのグリス導入凹部６３−２を通してクリック係合凹部６１−２に導かれる。つまりグリス１５０−２を一か所に塗布するという簡単な作業で２か所部分へのグリス１５０−２の供給が行われ、これによって回転式電子部品１−２の組み立て作業が容易になる。特にこの回転式電子部品１−２によれば、回転体本体部５１−２に元々形成している軸受部５５−２の部分にグリス導入凹部６３−２を設けたので、回転体５０−２の構造を複雑化することなく、グリス導入凹部６３−２を容易に形成することができる。
【００４０】
図１１は本発明の第３実施形態に係る回転式電子部品１−３を示す分解斜視図である。同図に示す回転式電子部品１−３において、前記図１〜図７に示す回転式電子部品１−１と同一又は相当部分には同一符号を付す（但し各符号に「−３」を付記する。）。なお以下で説明する事項以外の事項については、前記図１〜図７に示す実施形態と同じである。この回転式電子部品１−３においても、ケース１０−３の回転体収納凹部１３−３内に、摺動子８０−３を取り付けた回転体５０−３の回転体本体部５１−３を収納し、且つその上にクリック板１００−３を設置し、さらにその上にカバー１３０−３を被せて構成されている。
【００４１】
この回転式電子部品１−３において前記回転式電子部品１−１と相違する点は、回転体５０−３の構造のみである。即ちこの実施形態に係る回転体５０−３においては、グリス導入凹部６３−３を軸受部５５−３の部分に設けるだけでなく、軸受部５５−３の部分に設けたグリス導入凹部６３−３に連続して軸部５３−３の軸部外周面７３−３の部分にも位置するように設けている。軸部外周面７３−３に設けたグリス導入凹部６３−３は、軸部５３−３の上下方向（回転体５０−３の回転軸に沿う方向）に向けて溝状に軸部５３−３の軸受部５５−３の部分から軸部天面７５−３まで至るように直線状に形成されている。
【００４２】
このように軸部外周面７３−３（特に軸部外周面７３−３の内のグリス１５０−３を塗布した部分Ａ−３）にグリス導入凹部６３−３を設けておけば、軸部外周面７３−３に塗布したグリス１５０−３がさらにスムーズにグリス導入凹部６３−３内に導入され易くなる。つまり回転式電子部品１−３を組み立てる際にカバー１３０−３の軸支部１３５−３と回転体５０−３の軸部５３−３の間に塗布したグリス１５０−３をよりスムーズにこのグリス導入凹部６３−３を通してクリック係合凹部６１−３に導くことができるようになる。
【００４３】
なおグリス導入凹部６３−３は、軸部外周面７３−３のグリス１５０−３を塗布する部分Ａ−３の内の少なくとも一部分から軸受部５５−３にわたる位置に連続するように設ければよいが、この実施形態では軸部外周面７３−３に形成するグリス導入凹部６３−３を形成するにあたり、金型加工を容易に行うようにするため、軸部５３−３の軸部天面７５−３まで至るように形成している。
【００４４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態ではクリック係合凹部６１とグリス導入凹部６３とを回転体本体部５１の半径方向に向かって直線状に連結したが、連結構造は直線状に限定されず、他の各種構造によって連結しても良い。またクリック係合凹部６１の数は、上記実施形態のように１つに限定されず、複数か所に設けても良い。その場合各クリック係合凹部６１に対して１つずつグリス導入凹部６３を設けても良いし、複数のクリック係合凹部６１に対して１つのグリス導入凹部６３を設けても良い。また上記実施形態では軸受部５５をクリック係合凹部６１を設けた面（クリック弾接面５７）よりも高くしているが、場合によっては同一面又はそれより低い面としても良い。
【００４５】
また上記実施形態で使用したクリック板１００は直線状であるがこのクリック板の形状・構造にも種々の変形が可能であり、例えば図１２に示すように、クリック板１００−４は円弧状であってもよい。
【符号の説明】
【００４６】
１−１  回転式電子部品
１０  ケース
１１  ケース本体
１３  回転体収納凹部
３０  フレキシブル回路基板（回路基板）
４５  端子板
５０  回転体
５１  回転体本体部
５３  軸部
５５  軸受部
５７  クリック弾接面
６１  クリック係合凹部
６３  グリス導入凹部
７１  根元部分
８０  摺動子
１００  クリック板
１０１  弾接部
１３０  カバー
１３５  軸支部
１５０  グリス
７３−３  軸部外周面
７５−３  軸部天面
【図１】
0005463245.tif 000002
【図２】
0005463245.tif 000003
【図３】
0005463245.tif 000004
【図４】
0005463245.tif 000005
【図５】
0005463245.tif 000006
【図６】
0005463245.tif 000007
【図７】
0005463245.tif 000008
【図８】
0005463245.tif 000009
【図９】
0005463245.tif 000010
【図１０】
0005463245.tif 000011
【図１１】
0005463245.tif 000012
【図１２】
0005463245.tif 000013